(57)【特許請求の範囲】
【請求項１】
光学的カラー三角測量により物体の三次元表面座標を求める装置であって、
投影装置と、該投影装置に対し既知の相対ポジションに配置された捕捉装置と、計算装置とが設けられており、
前記投影装置は、設定されたカラーストライプパターン（１）を物体に照射し、該カラーストライプパターン（１）は、１つの軸（ｘ）に沿って延在し、該軸（ｘ）に対し垂直な複数のライン（３）から成り、前記複数のライン（３）は、それぞれ隣り合うラインとは異なるように選択された投影光スペクトル成分を有しており、
前記捕捉装置は、前記カラーストライプパターン（１）が１回投影された物体の画像（７）を記録し、
前記計算装置は、個々のライン（３）の前記選択されたスペクトル成分の識別と、互いに隣り合う２つのライン（３）の個々の移行部（５）の検出とによって、三次元表面座標を計算する、
光学的カラー三角測量により物体の三次元表面座標を求める装置において、
すべてのライン（３）について前記投影装置により、投影される個々のライン（３）の幅（Ｂｒ）が以下のように設定されている、すなわち、前記ライン（３）の記録画像（７）において、該ライン（３）のすべてのスペクトル成分のすべての最大コントラスト（Ｃｍａｘ）が、或るコントラスト最小値（Ｃｍｉｎ）と等しくなるように設定されている
ことを特徴とする、
光学的カラー三角測量により物体の三次元表面座標を求める装置。
【請求項２】
それぞれ少なくとも２つの選択されたスペクトル成分を有するライン（３）について前記投影装置により、個々のライン（３）の幅（Ｂｒ）が以下のように設定されている、すなわち、前記ライン（３）の記録画像（７）において、前記スペクトル成分のコントラスト経過特性（１９）の最大勾配領域が一致するように設定されている、
請求項１記載の装置。
【請求項３】
前記コントラスト最小値（Ｃｍｉｎ）は、不変の最小幅と単一のスペクトル成分を有するパターンライン（３ａ）のコントラスト伝達関数（１５）の値であり、前記単一のスペクトル成分は、相対的に最小の体積散乱作用を有する短い波長の色から成る、
請求項１または２記載の装置。
【請求項４】
前記パターンライン（３ａ）の不変の最小幅をベースとして、他のライン（３）の幅（Ｂｒ）は、前記最小幅とは変わらずに維持されている、または前記最小幅よりも拡大されている、
請求項３記載の装置。
【請求項５】
前記相対的に最小の体積散乱作用を有する色は青色である、
請求項３または４記載の装置。
【請求項６】
少なくとも１つのスペクトル成分は単色に対応する、
請求項１から５のいずれか１項記載の装置。
【請求項７】
前記投影装置は前記選択されたスペクトル成分を、単色である赤色と緑色と青色の混色によって生成する、
請求項１から６のいずれか１項記載の装置。
【請求項８】
前記捕捉装置はＲＧＢフィルタを有する、
請求項１から７のいずれか１項記載の装置。
【請求項９】
前記不変の最小幅は物体領域内の少なくとも１／１２ｍｍである、
請求項３から８のいずれか１項記載の装置。
【請求項１０】
光学的カラー三角測量により物体の三次元表面座標を求める方法であって、
投影装置によって、設定されたカラーストライプパターン（１）を物体に照射するステップと、ただし該カラーストライプパターン（１）は、１つの軸（ｘ）に沿って延在し、該軸（ｘ）に対し垂直な複数のライン（３）から成り、前記複数のライン（３）は、それぞれ隣り合うラインとは異なるように選択された投影光スペクトル成分を有し、
前記投影装置に対し既知の相対ポジションに配置された捕捉装置によって、前記カラーストライプパターン（１）が１回投影された物体の画像（７）を記録するステップと、
計算装置によって、個々のライン（３）の前記選択されたスペクトル成分の識別と、互いに隣り合う２つのライン（３）の個々の移行部（５）の検出とによって、三次元表面座標を計算するステップと
を含む、
光学的カラー三角測量により物体の三次元表面座標を求める方法において、
すべてのライン（３）について前記投影装置により、投影される個々のライン（３）の幅（Ｂｒ）を以下のように設定する、すなわち、前記ライン（３）の記録画像（７）において、該ライン（３）のすべてのスペクトル成分のすべての最大コントラスト（Ｃｍａｘ）が、或るコントラスト最小値（Ｃｍｉｎ）と等しくなるように設定する
ことを特徴とする、
光学的カラー三角測量により物体の三次元表面座標を求める方法。
【請求項１１】
それぞれ少なくとも２つの選択されたスペクトル成分を有するライン（３）について前記投影装置により、個々のライン（３）の幅（Ｂｒ）を以下のように設定する、すなわち、前記ライン（３）の記録画像（７）において、前記スペクトル成分のコントラスト経過特性の最大勾配領域が一致するように設定する、
請求項１０記載の方法。
【請求項１２】
前記コントラスト最小値（Ｃｍｉｎ）は、不変の最小幅と単一のスペクトル成分を有するパターンライン（３ａ）のコントラスト伝達関数（１５）の値であり、前記単一のスペクトル成分は、相対的に最小の体積散乱作用を有する短い波長の色から成る、
請求項１０または１１記載の方法。
【請求項１３】
前記パターンライン（３ａ）の不変の最小幅をベースとして、他のライン（３）の幅（Ｂｒ）を、前記最小幅とは変わらずに維持する、または前記最小幅よりも拡大する、
請求項１２記載の方法。
【請求項１４】
前記相対的に小さい体積散乱作用を有する色は青色である、
請求項１２または１３記載の方法。
【請求項１５】
少なくとも１つのスペクトル成分は単色に対応する、
請求項１０から１４のいずれか１項記載の方法。
【請求項１６】
前記投影装置によって前記選択されたスペクトル成分を、単色である赤色と緑色と青色の混色により生成する、
請求項１０から１５のいずれか１項記載の方法。
【請求項１７】
前記捕捉装置はＲＧＢフィルタを有する、
請求項１０から１６のいずれか１項記載の方法。
【請求項１８】
前記不変の最小幅は少なくとも１／１２ｍｍである、
請求項１２から１７のいずれか１項記載の方法。
【発明の詳細な説明】
【技術分野】
【０００１】
本発明の分野は、光学的カラー三角測量により物体の三次元表面座標を求める装置およびこの装置に対応する方法である。
【背景技術】
【０００２】
表面の三次元測定は、医療技術の多くの分野でますます重要になってきている。たとえば出血を最小とする外科手術を行う場合には、じかに観察することによってサイズおよび距離を推定することができないので、その代わりに測定方法が用いられることになる。さらに、器官または罹患組織をいっそう正確に識別または位置特定する目的で、手術中にたとえば腹部内で取得される表面データを、他の診断方法たとえば磁気共鳴、コンピュータトモグラフィまたは超音波法などで記録されたデータを用いて調整する場合がある。同様に、手術中に患者が「新たな」姿勢をとることによって生じる変動、またはたとえば呼吸などに起因する周期的なポジション変化による変動も、考慮すべきことである。従来から数多くの三次元測定方法が存在しており、たとえば位相符号化式のアクティブ三角測量またはレーザスキャニングなどがあり、これらは基本的に上述の用途に適している。ただしこれらの方法は、産業上の測定技術において頻出する非透過性の表面の測定向けに構成されている。しかしながら器官組織は、それよりもかなり複雑に光と相互作用をするものであり、波に依存して部分的に透過性であり、かつボリューム内で光拡散特性を有しており、この特性によって投影されたパターンの構造が著しく変化し、アクティブ三角測量法における三次元データ再構成のためにカメラ画像においてそのパターンを再認識するのが難しくなる。これにより三次元表面に欠落個所が発生し、あるいは測定の不確実性が著しく高まる可能性がある。
【０００３】
歯科医療分野においては、従来より位相三角測量のために単色光が使用され、エナメル質に光が透通するのを回避するため、白色が放射される。このことは患者にとって不快で余計なプロセスステップであり、そのことがこの方法を受け入れ難くしている。
【０００４】
WO 01/48438には、医療技術の三次元用途にいっそう適した方法が開示されている。この文献において提案されているのは、多色のパターン要素から成る二次元のカラーパターンの構成により、コーディングのための特にコンパクトで従ってフェイルセーフなカラーパターンを提供することである。ここで目的とするのは、対象物上に投影される二次元のカラーパターンの撮像中のパターン要素について変位ポジションを求めることである。カメラ内のプロジェクタの既知のポジションにおいて引き続き三角測量を行うことによって、ある対象物ポジションにおける三次元データを計算することができる。
【０００５】
もともと、カラーコーディングによる三角測量（Colour coded Triangulation; CCT）は、医療用途向けとしても開発されてきたものであり、半透過性かつ拡散性の媒体の測定に特に有利である。その用途として挙げられるのは、美容業界で生体測定に利用するための人間の顔の三次元測定、耳型の三次元スキャンによるデータを用いて最適に整合された補聴器の製造、または特別に開発されたＣＣＴスキャナを用いた耳道表面のダイレクトなスキャン、である。この測定方法の利点とは、アクティブ三角測量による三次元測定の多数の利点を有することであり、しかもきわめて高速かつ比較的ロバストなことである。ここで高速が意味するのは、リアルタイムに測定可能、ということである。なぜならば、三次元データセットの再構成のために１回の画像撮影しか必要としないからである。また、ロバストが意味するのは、投影されたパターンのカラーコーディングの利用によって、生体表面であっても比較的良好なデータ再構成が可能、ということである。なぜならば、デコーディングに際して、色の移り変わりもしくは色の境目がサーチされるからであり、単純に強度ベースでデータ再構成を行わなくてもよいからである。
【０００６】
カラー三角測量ＣＣＴの場合には、これまで全色についてストライプ幅が同一のカラーストライプパターンが選択されてきた。これは、物体媒体への侵入がまったくないかまたは侵入深さがごく僅かな物体においては、有用なアプローチであり、すべての色（光の波長）について変調伝達関数（ＭＴＦ）の値がほぼ等しい。生体の場合、変調伝達関数（ＭＴＦ）は、体積散乱の度合いとともに空間周波数が高い場合に特に落ち込む。体積散乱は、波長とともに増加する傾向にある。実際にこの作用は、たとえば人体の皮膚の層構造にも依存する。従来のカラーパターンのデザインの場合には、このような作用に応じて発生する散乱が考慮されない。
【０００７】
歯科の分野では、正確にフィットした歯冠等の整合のために、歯の表面がスキャンされる。この場合にも、体積散乱により有効な測定点の位置合わせが難しくなることが判明している。
【発明の概要】
【発明が解決しようとする課題】
【０００８】
本発明の課題は、透過性殊に部分透過性でありかつ散乱性特に拡散性の表面を三次元で測定する装置および方法において、コントラストの低下を効果的に抑え、かつ従来の解決手段よりも測定精度を効果的に高めることにある。特にそのためにここで考慮すべきであるのは、たとえば生体組織において、波長に依存して表面へ侵入する特性を形成する物質、およびその結果として発生する体積散乱である。
【課題を解決するための手段】
【０００９】
この課題は、独立請求項記載の装置および方法により解決される。
【００１０】
第１の観点によれば本発明は、光学的カラー三角測量により物体の三次元表面座標を求める装置に関する。この装置には、投影装置と、この投影装置に対し既知の相対ポジションに配置された捕捉装置と、計算装置とが設けられている。投影装置は、設定されたカラーストライプパターンを物体に照射する。この場合、カラーストライプパターンは、１つの軸に沿って延在し、この軸に対し垂直な複数のラインから成り、これら複数のラインは、それぞれ隣り合うラインとは異なるように選択された投影光スペクトル成分を有している。捕捉装置は、カラーストライプパターンが１回投影された物体の画像を記録する。計算装置は、個々のラインの選択されたスペクトル成分の識別と、互いに隣り合う２つのラインの個々の移行部の検出とによって、三次元表面座標を計算する。本発明によれば、すべてのラインについて投影装置により、投影される個々のラインの幅が、これらのラインについて選択されたスペクトル成分の体積散乱作用に応じて、以下のように設定されている。すなわち、ラインの記録画像において、これらのラインのすべてのスペクトル成分のすべての最大コントラストが、コントラスト最小値と等しくなるように設定されている。
【００１１】
第２の観点によれば本発明は、光学的カラー三角測量により物体の三次元表面座標を求めるための、以下のステップを有する方法に関する。すなわち、投影装置によって、設定されたカラーストライプパターンを物体に照射するステップと、ただしこのカラーストライプパターンは、１つの軸に沿って延在し、この軸に対し垂直な複数のラインから成り、複数のラインは、それぞれ隣り合うラインとは異なるように選択された投影光スペクトル成分を有し、投影装置に対し既知の相対ポジションに配置された捕捉装置によって、カラーストライプパターンが１回投影された物体の画像を記録するステップと、計算装置によって、個々のラインの選択されたスペクトル成分の識別と、互いに隣り合う２つのラインの個々の移行部の検出とによって、三次元表面座標を計算するステップとを有する。さらに本発明によれば、すべてのラインについて投影装置により、これらのラインについて選択されたスペクトル成分の体積散乱作用に応じて、投影される個々のラインの幅を以下のように設定する。すなわち、ラインの記録画像において、これらのラインのすべてのスペクトル成分のすべての最大コントラストが、コントラスト最小値と等しくなるように設定する。ここで有利であると認識されているのは、カラーストライプもしくはラインの幅を体積散乱の度合いに応じて設計することにより体積散乱を補償できる、ということである。このようにすることで、使用されるすべての色またはスペクトル成分について、コントラスト値が等しくなるようにすることができる。これにより有利であるのは、生体において有効に識別可能な測定値の個数が高まることである。三次元画像における欠落領域の発生が回避される。このことは、かろうじて識別可能なクリティカルな線に沿ったピクセルにも該当する。
【００１２】
従属請求項には、本発明の有利な実施形態が記載されている。
【００１３】
１つの有利な実施形態によれば、それぞれ少なくとも２つの選択されたスペクトル成分を有するラインについて、投影装置によって、これらのラインに対し選択されたスペクトル成分の体積散乱作用に応じて、個々のラインの幅を以下のように設定することができる。すなわち、ラインの記録画像において、それらのスペクトル成分のコントラスト経過特性の最大勾配領域が一致するように設定することができる。
【００１４】
さらに別の有利な実施形態によれば、コントラスト最小値を、不変の最小幅と単一のスペクトル成分を有するパターンラインのコントラスト伝達関数の値とすることができ、この単一のスペクトル成分は、相対的に最小の体積散乱作用を有する短い波長の色から成るようにする。
【００１５】
さらに別の有利な実施形態によれば、パターンラインの不変の最小幅をベースとして、他のラインの幅を、最小幅とは変わらずに維持するか、またはこの最小幅よりも拡大することができる。
【００１６】
１つの別の有利な実施形態によれば、相対的に最小の体積散乱作用を有する色を青色とすることができる。
【００１７】
１つの別の有利な実施形態によれば、少なくとも１つのスペクトル成分を単色に対応させることができる。
【００１８】
さらに別の有利な実施形態によれば、投影装置は選択されたスペクトル成分を、単色である赤色と緑色と青色の混色によって生成することができる。
【００１９】
さらに別の有利な実施形態によれば、捕捉装置はＲＧＢフィルタを有することができる。
【００２０】
さらに別の有利な実施形態によれば、相対的に最小の幅を少なくとも１／１２ｍｍとすることができる。
【００２１】
次に、図面を参照しながら実施例に基づき本発明について詳しく説明する。
【図面の簡単な説明】
【００２２】
【図１】従来のカラーストライプパターンの実施例を示す図
【図２】それぞれ異なる系の変調伝達関数を示す図
【図３ａ】従来のカラーストライプパターンの別の実施例を示す図
【図３ｂ】本発明によるカラーストライプパターンの実施例を示す図
【図４】それぞれ異なる単色の変調伝達関数を示す図
【図５ａ】混色から成る従来のラインのコントラスト経過特性を示す図
【図５ｂ】色に依存する散乱特性を有するボリュームで散乱した後、目で結像された（色に依存して処理された）ラインの像を示す図
【図５ｃ】本発明に従って設定されたラインのコントラスト経過特性を示す図
【発明を実施するための形態】
【００２３】
図１には、従来のカラーストライプパターンの実施例が示されている。三角測量において前提とするのは、表面に投影されるパターンは表面形状によってのみ変形される、ということである。その理由は、三次元形状に関する情報はこの変形だけにしか含まれておらず、物質中に侵入してもその構造およびコントラストに関しては付加的に変化しないからである。このことによって測定の不確実性が高まり、画素が欠如し、外光に対し障害を受けやすくなる。図１には、従来用いられていたＣＣＴのためのカラーコーディングパターンが示されている。カラーストライプパターン１は、軸ｘに沿って延在している。カラーストライプパターン１は、この軸ｘに対し垂直な複数のライン３から成り、これらのラインはそれぞれ隣り合うラインに対し、投影光のスペクトル成分が異なるように選択されている。個々のラインに対し選択されたスペクトル成分を識別し、互いに隣り合う２つのライン３の個々の移行部５を捕捉することによって、三次元の表面座標を求めることができる。従来、カラーストライプパターンは、すべての色について同一のストライプ幅で選定されていた。それぞれ同一のライン幅を有するこの種のカラーストライプパターン１を、色について中立的に光を全空間方向に散乱させるような表面に投影するのであるならば、捕捉ユニットもしくはカメラによって記録された画像におけるコントラストは、すべての波長および色に関して等しく良好になるであろうし、このような場合であるならば、色の移行部５を簡単に検出することができる。しかしながら、光が色選択的にそれぞれ異なるように体部に侵入し、かつ散乱特性がそれぞれ異なると、結像すべきパターンの鮮鋭度およびコントラストが変化する。
【００２４】
図２にはこの作用が示されている。図２の左側において矢印方向で、物体上のラインパターンが記録画像においてどのように捕捉されるのかが描かれている。ストライプパターン１は対応する画像７に変換される。参照符号９によって表されているのは、物体による相応の信号変調である。参照符号１１によって表されているのは、コントラスト損失に起因して発生した記録画像７における変調である。このことが技術的に意味するのは、変調伝達関数（ＭＴＦ）に基づく本来の変調がたとえば生体組織によって劣化する、ということである。図２の右側には２つの変調伝達関数が示されており、それらのうち一方は良好な系１５について、他方は劣化した系１７について、コントラスト経過特性が空間周波数に依存して示されている。空間周波数は、ｍｍあたりのラインペア数によって規定される。なお、変調伝達関数ＭＴＦは、コントラスト伝達関数としても知られている場合もある。
【００２５】
図２には関数として、右側には、良好な系の変調伝達関数１５が示されており、左側には、体積散乱に起因して変調伝達関数１５よりも劣化している変調伝達関数１７が示されている。
【００２６】
以下の図面は、実施例に基づき本発明の着想を説明するものである。特に生体表面における光学的三角測量のための新規のカラーコードパターンを開発するためには、光学パラ−メータの正確な情報ならびに組織中の光伝播の記述が必要である。組織の光学パラメータは波長に依存し、吸収係数、散乱係数、散乱の角度分布、ならびに屈折率を含む。散乱の角度分布は、たとえばｇ係数および位相関数によって表される。ただし大雑把な近似としていえるのは、均質に拡散散乱させる媒体において、波長の長い光は物質中にいっそう深く侵入し、いっそう大きい体積散乱作用を生じさせることである。つまり、無限小に小さいライトスポットが物体に投影される場合、そのまま弾性的に反射されない光子が媒体中に侵入し、それらの光子に対し弾性的の場合も非弾性の場合もあり得る多数の光子散乱プロセスが及ぼされ、それらは別の場所で表面に到達する。その際、可視のライトスポットが拡がり、これは光の波長が長くなるほどいっそう拡がる。しかしながら、カラー三角測量３Ｄ測定（三次元捕捉）において重要であるのは第一に、色もしくはラインの識別であり、色移行部もしくは個々の色のエッジの検出である。このことは体積散乱作用によって部分的に妨げられてしまう。その理由は、((Max-Min) / (Max + Min))により得られるコントラストが減少し、それに応じて信号対雑音比も低減するからである。
【００２７】
図３ａには、従来のカラーストライプパターンの別の実施例が示されている。この場合、赤色のラインＲと青色のラインＢが相前後して交互に配置されている。これらのライン３各々は、すべてのライン３について等しくなるように統一された幅Ｂｒを有している。これらのラインの下には、体積散乱体において散乱した後のライン３各々のコントラスト経過特性が描かれている。本発明による装置の捕捉装置を用いることで、これらのコントラスト経過特性を捕捉することができる。これらのコントラスト経過特性Ｃ各々によって、最大コントラストＣｍａｘに至るまでのコントラストの上昇と、それに続く個々のコントラスト経過特性の下降とが示されている。コントラスト経過特性は軸対称である。図３ａにはっきりと表されているのは、青色Ｂの体積散乱作用が赤色Ｒの体積散乱作用よりも小さい、ということである。したがって青色Ｂのコントラスト経過特性１９は、赤色Ｒのコントラスト経過特性１９よりも大きい最大コントラストＣｍａｘを有している。
【００２８】
図３ｂには、本発明による手法が示されている。この場合、投影されるライン３の幅が、個々の色の個々の体積散乱作用に整合されている。図３ｂによれば、赤色ライン３のコントラスト経過特性１９の最大コントラストＣｍａｘが増大するよう、赤色Ｒのライン３の幅が拡げられる。このような幅の拡大を、赤色ラインの最大コントラストＣｍａｘが青色ラインの最大コントラストＣｍａｘと一致するまで、行うことができる。個々の青色ラインの幅は、変えられずに維持される。
【００２９】
図４には、青色Ｂと赤色Ｒのラインの変調伝達関数が示されている。ここでは青色をベースとし、青色Ｂに所定の幅が割り当てられているときに、この色について特定のコントラスト値が得られる。このコントラスト値をコントラスト最小値Ｃｍｉｎと定める。赤色ラインによっても、記録された画像において同じコントラスト最小値Ｃｍｉｎが生じるようにするためには、赤色ライン各々の幅を拡げる必要があり、これにより青色ストライプの場合と同じコントラストが得られるようになる。本発明によるカラーストライプパターン１のこの実施例によれば、赤色ライン３の幅が２倍にされた。図４による座標系の水平軸は、ｍｍあたりのラインペアの個数を表す。ラインペアは参照符号Ｐで表される。
【００３０】
図５ａ〜図５ｃには、ライン３の個々の色が投影装置により混色として形成されている場合の解決手段が示されている。ＣＣＴの場合、画像記録はたとえば１チップカメラまたは３チップカメラを用いて行われる。つまり、あるカラーパターンが単に赤色と緑色と青色の今後（ＲＧＢ混色）によって形成される場合、捕捉装置もしくはカメラのＲＧＢフィルタによりカラーパターンが再び分解される。この点で、色移行部の検出に際してエッジのオーバラップによっても妨害が及ぼされない。その理由は、基本的に各色ごとに色のエッジを一義的に特定できるからである。図５ａ〜図５ｃには、本発明によるカラーパターンの第２の実施例が示されている。この場合、カラーパターンは１つの照明スポットだけしか有しておらず、これも同様にライン３と称することができる。ここでは混色によって、このラインのスペクトル成分の合成が形成される。図５ａには、体積散乱後の記録画像におけるコントラスト経過特性が示されており、ここでは照明スポットもしくはライン３は、赤色Ｒと青色Ｂの混色によって形成されている。このような混色が行われた場合、体積散乱作用により生体媒体中で関与するＲＧＢ成分が、空間的に分離される可能性がある。つまりこのことが意味するのは、エッジ移行部がそれぞれ色収差を有する、ということである（色境界の形成）。
【００３１】
図５ｂには、図５ａに従って赤と青の混色により形成され測定対象物体に投影された著しく小さい紫のスポット３が、目にどのように識別されるのかが示されている。図５ｂに描かれた目による相応の観察によって表されているのは、目が紫色のスポット３の色調を変化させ、その左側と右側に赤色の縞を生じさせることである。捕捉装置としてＲＧＢフィルタを備えたカメラを使用することで、混色である紫が分解され、青色および暗い赤色のスポットとして検出されることになり、その際、赤色のスポットはいっそう大きい直径を有することになる。
【００３２】
図５ｃには、図５ａに示した元のラインを本発明に従い整合した様子が示されている。混色により形成されたストライプもしくはライン３の幅は、以下のように選定される。すなわち、ここでは赤色と青色である両方の色の変調伝達関数ＭＴＦがほぼ等しくなり、最小値を上回り、さらにこれらのことに加え、記録画像におけるコントラスト経過特性１９の最大勾配領域が一致するようにする。最大勾配領域は、参照符号Ｓｍａｘによって表されている。本発明による解決手段によれば、ＣＣＴによる三次元測定が効果的に改善される。
【００３３】
本発明によれば、光学的カラー三角測量により物体の三次元表面座標を求める装置および方法が提案される。この場合、カラーストライプパターンのすべてのラインの幅が、ラインの記録画像においてライン３のすべてのスペクトル成分のすべての最大コントラストＣｍａｘがコントラスト最小値Ｃｍｉｎと等しくなるように、それぞれ設定される。コントラストが最も大きいスペクトル成分を有するパターンライン３ａの不変の最小幅をベースとして、他のライン３の幅を適切に拡げることができる。本発明は、透過性かつ散乱性である可能性のある生体組織における三次元測定のために、格別有利に適している。
【図１】
0006005278.tif 000002
【図２】
0006005278.tif 000003
【図３Ａ】
0006005278.tif 000004
【図３Ｂ】
0006005278.tif 000005
【図４】
0006005278.tif 000006
【図５Ａ】
0006005278.tif 000007
【図５Ｂ】
0006005278.tif 000008
【図５Ｃ】
0006005278.tif 000009
【図６】
0006005278.tif 000010